(57)【要約】【課題】より少ない基準画像を用いて、コストを抑えつつ、精度良く検出対象陰影画像が異常陰影画像であるか正常画像であるかを判別する。【解決手段】画像データを画像解析し、腫瘤陰影、微小石灰化クラスタ等の異常陰影である可能性がある検出対象陰影画像を抽出する（ステップＳ２）。検出対象陰影画像の大きさ、位置及び方向を基準画像に対応する大きさ、位置又は方向に補正し、補正画像を作成し（ステップＳ３）、補正画像から特徴量を抽出する（ステップＳ４）。多変量解析を用いて、補正画像から抽出された特徴量と、基準画像の特徴量とを比較し、検出対象陰影画像が異常陰影画像であるか正常画像であるかを判別する（ステップＳ５）。【選択図】図３
2005253770.tif 000002
【特許請求の範囲】
【請求項１】
予め異常陰影画像と正常画像とに分類されている基準画像と、被写体を撮影して取得された医用画像から抽出された検出対象陰影画像と、を比較する比較手段を有し、当該比較手段による比較結果に基づいて前記検出対象陰影画像が異常陰影画像であるか正常画像であるかを判別するようにした医用画像処理装置において、
前記検出対象陰影画像の大きさ、位置又は方向を前記基準画像に対応する大きさ、位置又は方向に補正し、当該補正した検出対象陰影画像を前記比較手段に出力する画像補正手段を備えたことを特徴とする医用画像処理装置。
【請求項２】
前記基準画像は複数あり、各基準画像の大きさ、位置又は方向が統一されていることを特徴とする請求項１に記載の医用画像処理装置。
【請求項３】
前記医用画像は、マンモグラムであることを特徴とする請求項１又は２に記載の医用画像処理装置。
【請求項４】
前記画像補正手段は、前記検出対象陰影画像のモーメントを用いて主軸角を求め、当該求められた主軸角に基づいて前記検出対象陰影画像の方向を補正することを特徴とする請求項１〜３のいずれか一項に記載の医用画像処理装置。
【請求項５】
前記画像補正手段は、前記検出対象陰影画像の幾何学的特徴を用いて主軸角を求め、当該求められた主軸角に基づいて前記検出対象陰影画像の方向を補正することを特徴とする請求項１〜３のいずれか一項に記載の医用画像処理装置。
【請求項６】
前記画像補正手段は、アフィン変換を用いて拡大若しくは縮小、平行移動又は回転移動を行うことにより、前記検出対象陰影画像の大きさ、位置又は方向を補正することを特徴とする請求項１〜５のいずれか一項に記載の医用画像処理装置。
【請求項７】
前記検出対象陰影画像が異常陰影画像であるか正常画像であるかの判別は、前記比較手段による比較結果及び補正前の検出対象陰影画像の解析結果に基づいて行うことを特徴とする請求項１〜６のいずれか一項に記載の医用画像処理装置。
【請求項８】
前記異常陰影画像であると判別された検出対象陰影画像の位置の補正における平行移動量、前記異常陰影画像であると判別された検出対象陰影画像の方向の補正における回転角度、前記異常陰影画像であると判別された検出対象陰影画像、又は前記異常陰影画像であると判別された検出対象陰影画像のサイズ情報を表示する表示手段を備えたことを特徴とする請求項１〜７のいずれか一項に記載の医用画像処理装置。
【請求項９】
コンピュータに、予め異常陰影画像と正常画像とに分類されている基準画像と、被写体を撮影して取得された医用画像から抽出された検出対象陰影画像と、を比較する比較機能と、当該比較機能における比較結果に基づいて前記検出対象陰影画像が異常陰影画像であるか正常画像であるかを判別する判別機能と、を実現させるための医用画像処理プログラムにおいて、
前記コンピュータに、
前記検出対象陰影画像の大きさ、位置又は方向を前記基準画像に対応する大きさ、位置又は方向に補正する画像補正機能を実現させ、
前記比較機能を実現させる際に、前記基準画像と前記補正した検出対象陰影画像とを比較させることを特徴とする医用画像処理プログラム。
【請求項１０】
前記基準画像は複数あり、各基準画像の大きさ、位置又は方向が統一されていることを特徴とする請求項９に記載の医用画像処理プログラム。
【請求項１１】
前記医用画像は、マンモグラムであることを特徴とする請求項９又は１０に記載の医用画像処理プログラム。
【請求項１２】
前記画像補正機能を実現させる際に、前記検出対象陰影画像のモーメントを用いて主軸角を求めさせ、当該求められた主軸角に基づいて前記検出対象陰影画像の方向を補正させることを特徴とする請求項９〜１１のいずれか一項に記載の医用画像処理プログラム。
【請求項１３】
前記画像補正機能を実現させる際に、前記検出対象陰影画像の幾何学的特徴を用いて主軸角を求めさせ、当該求められた主軸角に基づいて前記検出対象陰影画像の方向を補正させることを特徴とする請求項９〜１１のいずれか一項に記載の医用画像処理プログラム。
【請求項１４】
前記画像補正機能を実現させる際に、アフィン変換を用いて拡大若しくは縮小、平行移動又は回転移動を行わせることにより、前記検出対象陰影画像の大きさ、位置又は方向を補正させることを特徴とする請求項９〜１３のいずれか一項に記載の医用画像処理プログラム。
【請求項１５】
前記判別機能を実現させる際に、前記比較機能における比較結果及び補正前の検出対象陰影画像の解析結果に基づいて前記検出対象陰影画像が異常陰影画像であるか正常画像であるかを判別させることを特徴とする請求項９〜１４のいずれか一項に記載の医用画像処理プログラム。
【請求項１６】
前記コンピュータに、
前記異常陰影画像であると判別された検出対象陰影画像の位置の補正における平行移動量、前記異常陰影画像であると判別された検出対象陰影画像の方向の補正における回転角度、前記異常陰影画像であると判別された検出対象陰影画像、又は前記異常陰影画像であると判別された検出対象陰影画像のサイズ情報を表示する表示機能を実現させることを特徴とする請求項９〜１５のいずれか一項に記載の医用画像処理プログラム。
【発明の詳細な説明】
【技術分野】
【０００１】
本発明は、医用画像処理装置及び医用画像処理プログラムに係り、特に医師が医用画像を読影する際、その診断の効率化を図る医用画像処理装置及び医用画像処理プログラムに関する。
【背景技術】
【０００２】
医療の分野においては、医用画像のデジタル化が実現され、ＣＲ（Computed Radiography）装置、ＣＴ（Computed Tomography）装置、ＭＲＩ（Magnetic Resonance Imaging）装置等により生成された医用画像データをＣＲＴ（Cathode Ray Tube）等の画像表示装置に表示し、この画像表示装置に表示された医用画像を医師が読影して、病変部の状態や経時変化を観察して診断を行っている。
【０００３】
また、医師の読影に対する負担軽減を目的として、デジタル画像処理技術を用いて画像データの解析を行い、乳癌、肺癌等の異常陰影候補を自動的に検出するコンピュータ診断支援装置（Computer-Aided Diagnosis；ＣＡＤ）が開発されている（例えば、特許文献１参照。）。
【０００４】
検出対象となる陰影画像が異常陰影画像であるか正常画像であるかを判別する方法として、検出対象陰影画像の特徴量を抽出して行う判別分析や類似画像検出等の多変量解析が挙げられる。判別分析では、予め異常陰影画像と正常画像とに分類されている複数の基準画像の特徴量を記憶させておき、その境界を算出し、検出対象陰影画像の特徴量が異常陰影画像と正常画像のどちらに近いかを判別する。また、類似画像検出では、検出対象陰影画像の特徴量を基準画像の特徴量と比較し、類似点の最も多い基準画像を検出する。
【０００５】
このような多変量解析で判別性能を高めるためには、より多くの特徴量を用いることが効果的である。しかし、基準画像のデータ数に対して特徴量が少ない場合には、特徴量の追加により判別性能が向上するが、基準画像のデータ数に対して特徴量が多くなり過ぎると、統計的信頼度が低下し、判別性能が低下する。これを防ぐためには、特徴量の追加とともに、基準画像をより多く収集することが重要である。
【０００６】
また、従来の方法で異常陰影候補を検出する際に、同じ画像でも大きさ、位置、方向が変わると、違った特徴量を示す場合がある。そのため、あらゆる大きさ、位置、方向に対応した異常陰影画像を基準画像として記憶しておかなければならない。
【特許文献１】特開２００２−１１２９８５号公報
【発明の開示】
【発明が解決しようとする課題】
【０００７】
しかし、正常画像に比べて異常陰影画像の数ははるかに少ないため、実際に基準画像として多くの異常陰影画像を収集することは困難であった。さらに、あらゆる大きさ、位置、方向に対応した異常陰影画像を作成することは多大な時間とコストがかかるため、現実的ではなかった。
【０００８】
本発明は上記の従来技術における問題に鑑みてなされたものであって、より少ない基準画像を用いて、コストを抑えつつ、精度良く検出対象陰影画像が異常陰影画像であるか正常画像であるかを判別することができる医用画像処理装置及び医用画像処理プログラムを提供することを課題とする。
【課題を解決するための手段】
【０００９】
請求項１に記載の発明は、予め異常陰影画像と正常画像とに分類されている基準画像と、被写体を撮影して取得された医用画像から抽出された検出対象陰影画像と、を比較する比較手段を有し、当該比較手段による比較結果に基づいて前記検出対象陰影画像が異常陰影画像であるか正常画像であるかを判別するようにした医用画像処理装置において、前記検出対象陰影画像の大きさ、位置又は方向を前記基準画像に対応する大きさ、位置又は方向に補正し、当該補正した検出対象陰影画像を前記比較手段に出力する画像補正手段を備えたことを特徴とする。
【００１０】
請求項２に記載の発明は、請求項１に記載の医用画像処理装置において、前記基準画像は複数あり、各基準画像の大きさ、位置又は方向が統一されていることを特徴とする。
【００１１】
請求項３に記載の発明は、請求項１又は２に記載の医用画像処理装置において、前記医用画像は、マンモグラムであることを特徴とする。
【００１２】
請求項４に記載の発明は、請求項１〜３のいずれか一項に記載の医用画像処理装置において、前記画像補正手段は、前記検出対象陰影画像のモーメントを用いて主軸角を求め、当該求められた主軸角に基づいて前記検出対象陰影画像の方向を補正することを特徴とする。
【００１３】
請求項５に記載の発明は、請求項１〜３のいずれか一項に記載の医用画像処理装置において、前記画像補正手段は、前記検出対象陰影画像の幾何学的特徴を用いて主軸角を求め、当該求められた主軸角に基づいて前記検出対象陰影画像の方向を補正することを特徴とする。
【００１４】
請求項６に記載の発明は、請求項１〜５のいずれか一項に記載の医用画像処理装置において、前記画像補正手段は、アフィン変換を用いて拡大若しくは縮小、平行移動又は回転移動を行うことにより、前記検出対象陰影画像の大きさ、位置又は方向を補正することを特徴とする。
【００１５】
請求項７に記載の発明は、請求項１〜６のいずれか一項に記載の医用画像処理装置において、前記検出対象陰影画像が異常陰影画像であるか正常画像であるかの判別は、前記比較手段による比較結果及び補正前の検出対象陰影画像の解析結果に基づいて行うことを特徴とする。
【００１６】
請求項８に記載の発明は、請求項１〜７のいずれか一項に記載の医用画像処理装置において、前記異常陰影画像であると判別された検出対象陰影画像の位置の補正における平行移動量、前記異常陰影画像であると判別された検出対象陰影画像の方向の補正における回転角度、前記異常陰影画像であると判別された検出対象陰影画像、又は前記異常陰影画像であると判別された検出対象陰影画像のサイズ情報を表示する表示手段を備えたことを特徴とする。
【００１７】
請求項９に記載の発明は、コンピュータに、予め異常陰影画像と正常画像とに分類されている基準画像と、被写体を撮影して取得された医用画像から抽出された検出対象陰影画像と、を比較する比較機能と、当該比較機能における比較結果に基づいて前記検出対象陰影画像が異常陰影画像であるか正常画像であるかを判別する判別機能と、を実現させるための医用画像処理プログラムにおいて、前記コンピュータに、前記検出対象陰影画像の大きさ、位置又は方向を前記基準画像に対応する大きさ、位置又は方向に補正する画像補正機能を実現させ、前記比較機能を実現させる際に、前記基準画像と前記補正した検出対象陰影画像とを比較させることを特徴とする。
【００１８】
請求項１０に記載の発明は、請求項９に記載の医用画像処理プログラムにおいて、前記基準画像は複数あり、各基準画像の大きさ、位置又は方向が統一されていることを特徴とする。
【００１９】
請求項１１に記載の発明は、請求項９又は１０に記載の医用画像処理プログラムにおいて、前記医用画像は、マンモグラムであることを特徴とする。
【００２０】
請求項１２に記載の発明は、請求項９〜１１のいずれか一項に記載の医用画像処理プログラムにおいて、前記画像補正機能を実現させる際に、前記検出対象陰影画像のモーメントを用いて主軸角を求めさせ、当該求められた主軸角に基づいて前記検出対象陰影画像の方向を補正させることを特徴とする。
【００２１】
請求項１３に記載の発明は、請求項９〜１１のいずれか一項に記載の医用画像処理プログラムにおいて、前記画像補正機能を実現させる際に、前記検出対象陰影画像の幾何学的特徴を用いて主軸角を求めさせ、当該求められた主軸角に基づいて前記検出対象陰影画像の方向を補正させることを特徴とする。
【００２２】
請求項１４に記載の発明は、請求項９〜１３のいずれか一項に記載の医用画像処理プログラムにおいて、前記画像補正機能を実現させる際に、アフィン変換を用いて拡大若しくは縮小、平行移動又は回転移動を行わせることにより、前記検出対象陰影画像の大きさ、位置又は方向を補正させることを特徴とする。
【００２３】
請求項１５に記載の発明は、請求項９〜１４のいずれか一項に記載の医用画像処理プログラムにおいて、前記判別機能を実現させる際に、前記比較機能における比較結果及び補正前の検出対象陰影画像の解析結果に基づいて前記検出対象陰影画像が異常陰影画像であるか正常画像であるかを判別させることを特徴とする。
【００２４】
請求項１６に記載の発明は、請求項９〜１５のいずれか一項に記載の医用画像処理プログラムにおいて、前記コンピュータに、前記異常陰影画像であると判別された検出対象陰影画像の位置の補正における平行移動量、前記異常陰影画像であると判別された検出対象陰影画像の方向の補正における回転角度、前記異常陰影画像であると判別された検出対象陰影画像、又は前記異常陰影画像であると判別された検出対象陰影画像のサイズ情報を表示する表示機能を実現させることを特徴とする。
【発明の効果】
【００２５】
請求項１、９に記載の発明によれば、基準画像と、大きさ、位置又は方向を基準画像に対応する大きさ、位置又は方向に補正した検出対象陰影画像と、を比較し、この比較結果に基づいて検出対象陰影画像が異常陰影画像であるか正常画像であるかを判別するので、検出対象陰影画像の大きさ、位置又は方向を基準画像に合わせてから基準画像と比較することができる。したがって、あらゆる大きさ、位置又は方向に対応した基準画像を用意しておく必要がないので、より少ない基準画像を用いて、コストを抑えつつ、精度良く検出対象陰影画像が異常陰影画像であるか正常画像であるかを判別することができる。
【００２６】
請求項２、１０に記載の発明によれば、各基準画像の大きさ、位置又は方向が統一されているので、容易に検出対象陰影画像の大きさ、位置又は方向を基準画像に対応する大きさ、位置又は方向に補正することができる。
【００２７】
請求項３、１１に記載の発明によれば、マンモグラムを対象として検出対象陰影画像が異常陰影画像であるか正常画像であるかを判別することができる。
【００２８】
請求項４、１２に記載の発明によれば、検出対象陰影画像のモーメントを用いて主軸角を求め、求められた主軸角に基づいて検出対象陰影画像の方向を補正するので、検出対象陰影画像の方向を基準画像に合わせてから基準画像と比較することができる。
【００２９】
請求項５、１３に記載の発明によれば、検出対象陰影画像の幾何学的特徴を用いて主軸角を求め、求められた主軸角に基づいて検出対象陰影画像の方向を補正するので、検出対象陰影画像の方向を基準画像に合わせてから基準画像と比較することができる。
【００３０】
請求項６、１４に記載の発明によれば、アフィン変換を用いて拡大若しくは縮小、平行移動又は回転移動を行うことにより、検出対象陰影画像の大きさ、位置又は方向を補正するので、検出対象陰影画像の大きさ、位置又は方向の補正を一度の変換で行うことができる。
【００３１】
請求項７、１５に記載の発明によれば、基準画像と補正した検出対象陰影画像とを比較した比較結果及び補正前の検出対象陰影画像の解析結果に基づいて検出対象陰影画像が異常陰影画像であるか正常画像であるかを判別するので、より少ない基準画像を用いて、コストを抑えつつ、精度良く検出対象陰影画像が異常陰影画像であるか正常画像であるかを判別することができる。
【００３２】
請求項８、１６に記載の発明によれば、異常陰影画像であると判別された検出対象陰影画像の位置の補正における平行移動量、前記異常陰影画像であると判別された検出対象陰影画像の方向の補正における回転角度、前記異常陰影画像であると判別された検出対象陰影画像、又は前記異常陰影画像であると判別された検出対象陰影画像のサイズ情報を表示するので、これらの情報をユーザに知らせることができる。
【発明を実施するための最良の形態】
【００３３】
［第１の実施の形態］
図１〜図８を参照して本発明の第１の実施の形態における医用画像処理装置１について詳細に説明する。ただし、発明の範囲は図示例に限定されない。
【００３４】
まず、医用画像処理装置１の概略構成について説明する。図１に示すように、医用画像処理装置１は、ＣＰＵ（Central Processing Unit）２、Ｉ／Ｆ（InterFace）部３、操作手段４、表示手段５、通信部６、ＲＯＭ（Read Only Memory）７、ＲＡＭ（Random Access Memory）８、記憶部９、基準画像データベース１０等を備えて構成され、各部はバス１１により接続されている。
【００３５】
ＣＰＵ２は、操作手段４から入力される各種指示や、Ｉ／Ｆ部３又は通信部６から入力されるデータに従って、ＲＯＭ７に記憶されている各種プログラムの中から指定されたプログラムをＲＡＭ８のワークエリアに展開し、上記プログラムとの協働によって各種処理を実行し、その処理結果をＲＡＭ８の所定の領域に格納するとともに、表示手段５に表示させる。
【００３６】
ＣＰＵ２は、画像データから検出対象陰影画像を抽出し、検出対象陰影画像の大きさ、位置又は方向を基準画像に対応する大きさ、位置又は方向に補正して補正画像を作成し、基準画像と補正画像とを比較し、この比較結果に基づいて検出対象陰影画像が異常陰影画像であるか正常画像であるかを判別して、１つ又は複数の種類の異常陰影候補を検出する（図３参照）。
【００３７】
Ｉ／Ｆ部３は、画像生成装置Ｇと接続するためのインターフェイスであり、画像生成装置Ｇにおいて生成された画像データを医用画像処理装置１に入力する。
【００３８】
画像生成装置Ｇとしては、被写体を撮影して取得された医用画像が記録されたフィルム上にレーザ光を走査して画像データを取得するレーザデジタイザや、ＣＣＤ（Charge Coupled Device）等の光電変換素子からなるセンサによりフィルムに記録された画像データを取得するフィルムスキャナ等が適用可能である。
【００３９】
また、フィルムに記録された医用画像を読み取るのではなく、蓄積性蛍光体を用いて医用画像を撮影する撮影装置や、照射された放射線の強度に応じた電荷を生成する放射線検出素子とコンデンサからなるフラットパネルディテクタ等を接続可能な構成としてもよく、画像データの入力方法は特に限定しない。
【００４０】
操作手段４は、カーソルキーや数字キー、各種機能キーからなるキーボードを備えて構成され、各キー操作による押下信号をＣＰＵ２に出力する。なお、操作手段４は、必要に応じてマウスやタッチパネル等のポインティングデバイスや、その他の入力装置を備えることとしてもよい。
【００４１】
表示手段５は、ＬＣＤ（Liquid Crystal Display）等から構成され、ＣＰＵ２の制御に従って、医用画像や、異常陰影候補の検出結果等の各種表示情報を表示する。
【００４２】
通信部６は、ネットワークインターフェイスカード、モデム、ターミナルアダプタ等の通信用インターフェイスにより構成され、通信ネットワーク上の外部機器と各種情報の送受信を行う。例えば、通信部６を介して画像生成装置Ｇから画像データを受信する構成としてもよいし、通信部６を介して病院内のサーバや各診療室に設置される診療端末に接続して、異常陰影候補の検出結果を送信する構成としてもよい。
【００４３】
ＲＯＭ７は、不揮発性の半導体メモリで構成され、ＣＰＵ２により実行される各種プログラム等を記憶している。
【００４４】
ＲＡＭ８は、書き換え可能な半導体素子で構成される。ＲＡＭ８は、データが一時的に保存される記憶媒体であり、ＣＰＵ２が実行するためのプログラムを展開するためのプログラムエリア、ＣＰＵ２による各種処理結果等を保存するためのデータエリア、等が形成される。
【００４５】
記憶部９は、磁気的、光学的記録媒体又は半導体メモリ等により構成され、画像生成装置ＧからＩ／Ｆ部３を介して入力された画像データ、画像データから抽出された検出対象陰影画像、検出対象陰影画像を補正して作成された補正画像、補正画像から抽出された特徴量等を記憶する。
【００４６】
基準画像データベース１０は、異常陰影の判別時に基準となる複数の基準画像の特徴量を記憶している。図２に示すように、各基準画像は、所定の大きさの切り出し領域単位で生成され、切り出し領域内における主軸長Ｌ1，Ｌ2，・・・，Ｌn、重心位置Ｇ1，Ｇ2，・・・，Ｇn及び主軸角が統一されている。ここでは、主軸角が０度となるよう統一されている。また、基準画像は、予め異常陰影画像と正常画像とに分類されている。
【００４７】
主軸長とは、対象図形内に描くことができる最大の長さの線（主軸）の長さをいい、対象の大きさを特徴付ける特徴量の１つである。対象の境界上にある２点の全ての組み合わせについて画素単位の距離を求め、最大の距離を持つ２点を求めることにより、主軸の端点（ｘ1，ｙ1）と（ｘ2，ｙ2）が得られる。主軸長Ｌは式（１）で与えられる。
【数１】
2005253770.tif 000003
【００４８】
主軸角θは、画像のｘ軸と主軸とのなす角度であって、式（２）で示すように、幾何学的特徴を用いて求められる。主軸角θは、対象の方向を特徴付ける特徴量の１つである。
【数２】
2005253770.tif 000004
【００４９】
また、主軸角θは、対象図形のモーメントを用いて求めることもできる。（ｐ＋ｑ）次のモーメントｍpqは、式（３）で定義される。
【数３】
2005253770.tif 000005
ただし、ｆ（ｘ，ｙ）は（ｘ，ｙ）における画像データである。
【００５０】
（ｐ＋ｑ）次の重心回りのモーメント（central moment）μpqは、式（４）で定義される。
【数４】
2005253770.tif 000006
ここで、
【数５】
2005253770.tif 000007
である。
【００５１】
モーメントから求められる主軸角θは、式（６）で表される。
【数６】
2005253770.tif 000008
【００５２】
次に、第１の実施の形態における動作について説明する。
図３は、医用画像処理装置１により実行される異常陰影候補検出処理１を説明するフローチャートである。以下、各ステップの処理の主体は、特に言及する場合を除き、ＣＰＵ２であるとする。ここでは、医用画像データとして、乳房を撮影したマンモグラムを用いた例を説明するが、対象となる部位はこれに限らず、胸部や腹部であってもかまわない。
【００５３】
図３に示すように、まず、画像生成装置Ｇから画像データがＩ／Ｆ部３を介して入力され（ステップＳ１）、記憶部９に記憶される。
【００５４】
次に、記憶部９に記憶されている画像データが画像解析され、腫瘤陰影、微小石灰化クラスタ等の異常陰影である可能性がある検出対象陰影画像が抽出される（ステップＳ２）。
【００５５】
次に、検出対象陰影画像の大きさ、位置及び方向が基準画像に対応する大きさ、位置又は方向に補正され、補正画像が作成される（ステップＳ３）。
【００５６】
図４を参照して、補正画像作成処理について説明する。
まず、検出対象陰影画像の主軸長が算出され（ステップＳ１１）、基準画像に対応する大きさになるように、拡大率又は縮小率が決定される（ステップＳ１２）。
【００５７】
また、検出対象陰影画像の重心位置が算出され（ステップＳ１３）、基準画像に対応する位置になるように、平行移動条件が決定される（ステップＳ１４）。
【００５８】
また、検出対象陰影画像の主軸角が算出され（ステップＳ１５）、基準画像に対応する方向になるように、回転移動条件が決定される（ステップＳ１６）。
【００５９】
そして、決定された拡大率又は縮小率、平行移動条件、回転移動条件に基づいて、検出対象陰影画像にアフィン変換（affine transformation）が施され、補正画像が作成される（ステップＳ１７）。
【００６０】
図５に、補正画像の例を示す。図５（ａ）は、主軸長に基づいて拡大することにより作成された補正画像の例である。図５（ｂ）は、重心位置に基づいて平行移動を行うことにより作成された補正画像の例である。図５（ｃ）は、主軸角に基づいて回転移動を行うことにより作成された補正画像の例である。
【００６１】
次に、図３に示すように、補正画像から特徴量が抽出される（ステップＳ４）。ここでは、特徴量として、テクスチャに関する特徴量を用いる。
【００６２】
図６に、テクスチャ解析に用いる局所パターンの例を示す。図６のｆ０は、画像に対して３×３の画素ブロック単位で解析を行う際に、中央の画素の画像データの値（画素値）を示す特徴量である。ｆ１は、中央の画素の画像データの値を２倍した値を示し、ｆ２は、中央の画素の画像データの値を３倍した値を示している。ｆ３は、３×３の画素ブロックのうち中央の画素とその右側の画素の画像データの値を掛けた値を表している。ｆ３４は、３×３の画素ブロックの中央の画素とその左上の画素と右上の画素の画像データの値を掛けた値を表している。他のパターンについても同様である。
【００６３】
各画素の画像データが図７に示す値である場合に、３×３の画素ブロックＦに注目すると、ｆ０は２、ｆ１は２×２＝４、・・・、ｆ３４は１×２×３＝６となる。このようにして、３５個の特徴量が算出される。画像データに対して３×３の画素ブロックを１画素ずつずらしていき、全ての領域に対して特徴量を算出する。
【００６４】
次に、図３に示すように、多変量解析を用いて、補正画像から抽出された特徴量と、基準画像データベース１０に記憶されている基準画像の特徴量とが比較され、検出対象陰影画像が異常陰影画像であるか正常画像であるかが判別される（ステップＳ５）。
【００６５】
検出対象陰影画像の判別方法として、判別分析や類似画像検出を用いることができる。判別分析では、予め準備されている正常画像のグループに属する基準画像と異常陰影画像のグループに属する基準画像とに基づいて、特徴量を軸とした特徴量空間上で正常画像と異常陰影画像との境界線を設け、検出対象陰影画像がどちらのグループに属しているかを判別する。図８を参照して、マハラノビス距離を用いた判別分析の例を説明する。マハラノビス距離とは、データの分散を考慮した各グループの中心から判別データ（検出対象陰影画像）までの距離である。図８は、特徴量１と特徴量２を２変数として基準画像をプロットしたものである。図８に示すように、異常陰影画像に分類されている基準画像ａ1〜ａ4からなるＡ群、正常画像に分類されている基準画像ｂ1〜ｂ4からなるＢ群の２群を準備しておき、判別データＸについてＡ群の中心Ｇaからのマハラノビス距離Ｄa、Ｂ群の中心Ｇbからのマハラノビス距離Ｄbをそれぞれ求める。そして、その距離比Ｄa／Ｄbに基づいて、判別データＸがどちらの群に属するかを判別する。距離比Ｄa／Ｄbが閾値以下である場合には、判別データＸはＡ群に近く異常陰影画像であると判別され、距離比Ｄa／Ｄbが閾値より大きい場合には、判別データＸはＢ群に近く正常画像であると判別される。図８に、マハラノビス距離比による異常陰影画像と正常画像との境界線Ｌを示す。
【００６６】
類似画像検出では、式（７）で示される特徴量空間における検出対象陰影画像と基準画像とのユークリッド距離Ｄを算出して、その距離Ｄが近い基準画像を類似画像として検出する。
【数７】
2005253770.tif 000009
ここで、Ｚakは検出対象陰影画像のｎ個の特徴量のうちのｋ番目の特徴量、Ｚbkは類似画像検出に用いる基準画像のｎ個の特徴量のうちのｋ番目の特徴量である。
【００６７】
距離Ｄが最短となる基準画像を検出し、その基準画像が異常陰影画像であるか正常画像であるかに基づいて検出対象陰影画像が異常陰影画像であるか正常画像であるかを判別することとしてもよいし、距離Ｄが近い基準画像を複数枚検出して、異常陰影画像と正常画像の比率に基づいて検出対象陰影画像が異常陰影画像であるか正常画像であるかを判別することとしてもよい。
【００６８】
そして、異常陰影画像であると判別された検出対象陰影画像が異常陰影候補として検出され（ステップＳ６）、検出結果が表示手段５に表示される（ステップＳ７）。具体的には、画像データ上の異常陰影候補がマーカー等で示されるとともに、異常陰影画像であると判別された検出対象陰影画像の位置の補正における平行移動量、方向の補正における回転角度、又は異常陰影画像であると判別された検出対象陰影画像のサイズ情報が表示される。ここで、サイズ情報とは、補正前の検出対象陰影画像の大きさ、又は検出対象陰影画像が抽出される際の切り出し画像サイズをいう。
以上で異常陰影候補検出処理１が終了する。
【００６９】
以上説明したように、医用画像処理装置１によれば、検出対象陰影画像の大きさ、位置又は方向を基準画像に対応する大きさ、位置又は方向に補正し、基準画像と補正画像とを比較し、この比較結果に基づいて検出対象陰影画像が異常陰影画像であるか正常画像であるかを判別するので、検出対象陰影画像の大きさ、位置又は方向を基準画像に合わせてから基準画像と比較することができる。したがって、あらゆる大きさ、位置又は方向に対応した基準画像を用意しておく必要がないので、より少ない基準画像を用いて、コストを抑えつつ、精度良く検出対象陰影画像が異常陰影画像であるか正常画像であるかを判別することができる。
【００７０】
また、各基準画像の大きさ、位置又は方向が統一されているので、容易に検出対象陰影画像の大きさ、位置又は方向を基準画像に対応する大きさ、位置又は方向に補正することができる。
【００７１】
また、補正画像を作成する際に、アフィン変換を用いて拡大又は縮小、平行移動、回転移動を行うことにより、検出対象陰影画像の大きさ、位置又は方向の補正を一度の変換で行うことができる。
【００７２】
また、異常陰影画像であると判別された検出対象陰影画像（異常陰影候補）やそのサイズ情報、位置の補正における平行移動量、又は方向の補正における回転角度を表示することにより、これらの情報をユーザに知らせることができる。
【００７３】
なお、第１の実施の形態においては、図２に示すように、各基準画像の切り出し領域が所定の大きさに統一されている場合について説明したが、各基準画像の切り出し領域の大きさは必ずしも統一されていなくてもよい。
【００７４】
［第２の実施の形態］
次に、本発明を適用した第２の実施の形態について説明する。
第２の実施の形態における医用画像処理装置は、第１の実施の形態に示した医用画像処理装置１と同様の構成であるため、同一の構成部分については同一の符号を付し、図示及び説明を省略する。以下、第２の実施の形態に特徴的な構成及び処理について説明する。
【００７５】
ＣＰＵ２は、画像データから検出対象陰影画像を抽出し、検出対象陰影画像の大きさ、位置又は方向を基準画像に対応する大きさ、位置又は方向に補正して補正画像を作成し、基準画像と補正画像とを比較し、この比較結果及び補正前の検出対象陰影画像の解析結果に基づいて検出対象陰影画像が異常陰影画像であるか正常画像であるかを判別して、１つ又は複数の種類の異常陰影候補を検出する（図９参照）。
【００７６】
次に、動作について説明する。
図９は、第２の実施の形態における医用画像処理装置により実行される異常陰影候補検出処理２を説明するフローチャートである。以下、各ステップの処理の主体は、特に言及する場合を除き、ＣＰＵ２であるとする。
【００７７】
図９に示すように、まず、画像生成装置Ｇから画像データがＩ／Ｆ部３を介して入力され（ステップＳ２１）、記憶部９に記憶される。
【００７８】
次に、記憶部９に記憶されている画像データが画像解析され、腫瘤陰影、微小石灰化クラスタ等の異常陰影である可能性がある検出対象陰影画像が抽出される（ステップＳ２２）。
【００７９】
次に、検出対象陰影画像の大きさ、位置及び方向が基準画像に対応する大きさ、位置又は方向に補正され、補正画像が作成される（ステップＳ２３）。そして、補正画像から特徴量が抽出される（ステップＳ２４）。補正画像の作成方法及び特徴量の抽出については、第１の実施の形態と同様であるので、説明を省略する。
【００８０】
また、補正前の検出対象陰影画像から円形度、背景画像とのコントラスト、陰影の周辺部から中心部にかけての濃度勾配の強度成分等の特徴量が抽出される（ステップＳ２５）。
【００８１】
そして、補正画像から抽出された特徴量と、補正前の検出対象陰影画像から抽出された特徴量とを多変量解析の入力データとして用いて、検出対象陰影画像が異常陰影画像であるか正常画像であるかが判別される（ステップＳ２６）。画像の大きさや位置、方向によって異なる特徴を示す特徴量については、補正画像から抽出された特徴量を用いて基準画像データベース１０に記憶されている基準画像の特徴量との比較により判別を行い、その他の特徴量については、補正前の検出対象陰影画像から抽出された特徴量を用いて判別を行う。
【００８２】
そして、異常陰影画像であると判別された検出対象陰影画像が異常陰影候補として検出され（ステップＳ２７）、検出結果が表示手段５に表示される（ステップＳ２８）。
以上で異常陰影候補検出処理２が終了する。
【００８３】
第２の実施の形態における医用画像処理装置によれば、検出対象陰影画像の大きさ、位置又は方向を基準画像に対応する大きさ、位置又は方向に補正し、基準画像と補正画像とを比較した比較結果及び補正前の検出対象陰影画像の解析結果に基づいて検出対象陰影画像が異常陰影画像であるか正常画像であるかを判別するので、より少ない基準画像を用いて、コストを抑えつつ、精度良く検出対象陰影画像が異常陰影画像であるか正常画像であるかを判別することができる。
【００８４】
なお、上記各実施の形態における記述は、本発明に係る好適な医用画像処理装置の例であり、これに限定されるものではない。医用画像処理装置を構成する各部の細部構成及び細部動作に関しても本発明の趣旨を逸脱することのない範囲で適宜変更可能である。
【図面の簡単な説明】
【００８５】
【図１】第１の実施の形態における医用画像処理装置１の概略構成を示すブロック図である。
【図２】基準画像の例を示す図である。
【図３】第１の実施の形態における医用画像処理装置１により実行される異常陰影候補検出処理１を示すフローチャートである。
【図４】補正画像作成処理を示すフローチャートである。
【図５】補正画像の例を示す図である。
【図６】テクスチャ解析に用いる局所パターンの例を示す図である。
【図７】テクスチャ解析に用いる画像データの例を示す図である。
【図８】判別分析におけるマハラノビス距離の概念図である。
【図９】第２の実施の形態における医用画像処理装置により実行される異常陰影候補検出処理２を示すフローチャートである。
【符号の説明】
【００８６】
１  医用画像処理装置
２  ＣＰＵ
３  Ｉ／Ｆ部
４  操作手段
５  表示手段
６  通信部
７  ＲＯＭ
８  ＲＡＭ
９  記憶部
１０  基準画像データベース
１１  バス
【図１】
2005253770.tif 000010
【図２】
2005253770.tif 000011
【図３】
2005253770.tif 000012
【図４】
2005253770.tif 000013
【図５】
2005253770.tif 000014
【図６】
2005253770.tif 000015
【図７】
2005253770.tif 000016
【図８】
2005253770.tif 000017
【図９】
2005253770.tif 000018